(57)【要約】【課題】効率的であり、時間がかかる煩雑なステップをなくす、プリント回路板上に設置される電気コネクタを組み立てる方法が必要である。【解決手段】プリント回路板に取り付けられるように構成される電気コネクタを組み立てる方法。方法は、複数の接触子を有する接触子ウェハを設けるステップと、各接触子ウェハの後端を曲げるステップと、1つまたは複数の接触子ウェハ組立体を形成するために接触子ウェハを交互配置するステップと、1つまたは複数の接触子ウェハ組立体が電気コネクタのはめ合いインターフェースで複数の接触子のはめ合い端の所定の配置を形成するように、接触子ウェハ組立体を電気コネクタのインサートへと装填するステップと、インサートを電気コネクタのシェルの中に挿入するステップとを有する。【選択図】図1
2020031056.tif 000002
【特許請求の範囲】
【請求項１】
電気コネクタを組み立てる方法であって、前記電気コネクタがプリント回路板に取り付けられるように構成され、
複数の接触子ウェハを設けるステップであって、各接触子ウェハがハウジングによって支持される複数の接触子を含み、前記複数の接触子の各々が、はめ合いコネクタを係合するためのはめ合い端および前記プリント回路板に電気的に接続するための後端を含み、前記はめ合い端および後端が前記ハウジングの外側に露出される、ステップと、
各接触子ウェハの後端を曲げるステップと、
１つまたは複数の接触子ウェハ組立体を形成するために前記接触子ウェハを交互配置するステップと、
前記１つまたは複数の接触子ウェハ組立体が前記電気コネクタのはめ合いインターフェースで前記複数の接触子のはめ合い端の所定の配置を形成するように、前記１つまたは複数の接触子ウェハ組立体を前記電気コネクタのインサートへと装填するステップと、
前記１つまたは複数の接触子ウェハ組立体で、前記インサートを前記電気コネクタのシェルに挿入するステップと、
を含む、方法。
【請求項２】
前記接触子ウェハの後端に接触子支持部材を設置するステップをさらに含む、請求項１に記載の方法。
【請求項３】
前記接触子支持部材が、前記複数の接触子の各々に対応する複数の導電性ばねを含む、請求項２に記載の方法。
【請求項４】
前記インサート、前記シェル、および接触子支持部を一緒に結合するステップをさらに含む、請求項１に記載の方法。
【請求項５】
前記インサート、前記シェル、および前記接触子支持部を一緒に結合するステップの後に、前記電気コネクタを通る電気伝導率について前記電気コネクタを試験するステップをさらに含む、請求項４に記載の方法。
【請求項６】
前記結合するステップが、前記インサート、前記シェル、および接触子支持部材の各々を通して少なくとも１つの締結具を挿入するステップであって、前記締結具が、前記電気コネクタを前記プリント回路板に取り付けるために前記プリント回路板を係合するように構成される、ステップを含む、請求項４に記載の方法。
【請求項７】
前記１つまたは複数の接触子ウェハ組立体が前記複数の接触子の後端を介して前記プリント回路板に電気的に接続されるように、前記締結具が、前記電気コネクタを前記プリント回路板に取り付けるために前記プリント回路板を係合するように構成される、請求項６に記載の方法。
【請求項８】
前記複数の接触子の後端を前記プリント回路板に半田付けするステップをさらに含む、請求項１に記載の方法。
【請求項９】
ポッティング材料が前記電気コネクタに加えられない、請求項１に記載の方法。
【請求項１０】
前記インサートの中に１つまたは複数の接触子ウェハ組立体を装填するステップも、前記シェルの中にインサートを挿入するステップも、前記複数の接触子の終端部を管理するステップを含まない、請求項１に記載の方法。
【請求項１１】
前記複数の接触子のはめ合い端の所定の配置を形成するために、少なくとも２つの接触子ウェハ組立体を組み合わせるステップをさらに含む、請求項１に記載の方法。
【請求項１２】
前記２つの接触子ウェハ組立体のうちの一方の接触子ウェハが、互いに異なる数の複数の接触子を有する、請求項１１に記載の方法。
【請求項１３】
前記２つの接触子ウェハ組立体のうちの他方の接触子ウェハが、互いに異なる数の複数の接触子を有する、請求項１２に記載の方法。
【請求項１４】
前記接触子ウェハ組立体のうちの少なくとも１つを形成するため、互いに異なる数の複数の接触子を有する、少なくとも２つの接触子ウェハを前記複数の接触子ウェハから選択するステップをさらに含む、請求項１に記載の方法。
【請求項１５】
前記接触子ウェハの各々が他の接触子ウェハと異なる数の接触子を有する、請求項１に記載の方法。
【請求項１６】
前記複数の接触子のはめ合い端の所定の配置を形成するために、前記接触子ウェハ組立体のうちの少なくとも２つを組み合わせるステップをさらに含む、請求項１５に記載の方法。
【請求項１７】
電気コネクタを組み立てる方法であって、前記電気コネクタがプリント回路板に取り付けられるように構成され、
複数の接触子ウェハを設けるステップであって、各接触子ウェハがハウジングによって支持される複数の接触子を含み、前記複数の接触子の各々が、はめ合いコネクタを係合するためのはめ合い端および前記プリント回路板に電気的に接続するための後端を含み、前記はめ合い端および後端が前記ハウジングの外側に露出され、少なくとも１つの接触子ウェハが４つの接触子で形成され、少なくとも１つの接触子ウェハが５つの接触子で形成され、少なくとも１つの接触子ウェハが６つの接触子で形成される、ステップと、
１つまたは複数の接触子ウェハ組立体を形成するために前記接触子ウェハを交互配置するステップと、
前記１つまたは複数の接触子ウェハ組立体が前記電気コネクタのはめ合いインターフェースで前記複数の接触子の前記はめ合い端の所定の配置を形成するように、前記１つまたは複数の接触子ウェハ組立体を前記電気コネクタのインサートへと装填するステップと、
前記１つまたは複数の接触子ウェハ組立体で、前記インサートを前記電気コネクタのシェルに挿入するステップと、
を含む、方法。
【請求項１８】
交互配置する前記ステップが、前記接触子ウェハ組立体のうちの少なくとも第１の接触子ウェハ組立体を形成するために、４つ、５つ、または６つの接触子を有する前記接触子ウェハのうちの１つを４つ、５つ、または６つの接触子を有する前記接触子ウェハのうちの別のものと交互配置するステップを含む、請求項１７に記載の方法。
【請求項１９】
前記交互配置するステップが、前記接触子ウェハ組立体のうちの少なくとも第２の接触子ウェハ組立体を形成するために、４つ、５つ、または６つの接触子を有する前記接触子ウェハのうちの１つを４つ、５つ、または６つの接触子を有する前記接触子ウェハのうちの別のものと交互配置するステップを含む、請求項１８に記載の方法。
【請求項２０】
前記複数の接触子のはめ合い端の所定の配置を形成するために、前記第１の接触子ウェハ組立体と前記第２の接触子ウェハ組立体を組み合わせるステップをさらに含む、請求項１９に記載の方法。
【請求項２１】
接触子組立体をインサートの中に装填するステップが、前記組み合わせた第１の接触子ウェハ組立体と第２の接触子ウェハ組立体を装填するステップを含む、請求項２０に記載の方法。
【請求項２２】
４つ、５つ、および６つの接触子を有する前記接触子ウェハの各々が、接触子間に少なくとも１つの脆化領域を含む、請求項１７に記載の方法。
【請求項２３】
４つ、５つ、および６つの接触子を有する前記接触子ウェハのうちの少なくとも１つを前記少なくとも１つの脆化領域で分け、それによってそこから複数の接触子ウェハを形成するステップをさらに含む、請求項２２に記載の方法。
【請求項２４】
前記接触子ウェハを交互配置するステップの前に、各接触子ウェハの後端を曲げるステップをさらに含む、請求項１７に記載の方法。
【請求項２５】
前記電気コネクタのはめ合いインターフェースにおける前記複数の接触子のはめ合い端の所定の配置が、９ポジション、１５ポジション、２１ポジション、２５ポジション、３１ポジション、３７ポジション、４１ポジション、５１ポジション、６９ポジション、または１００ポジションのうちの１つである、請求項１７に記載の方法。
【発明の詳細な説明】
【技術分野】
【０００１】
本発明は、マイクロDまたはD字型電気コネクタなどの、プリント回路板のために構成されるタイプの電気コネクタを組み立てるための方法に関する。
【背景技術】
【０００２】
マイクロDおよびD字型コネクタのような、プリント回路板で使用するために構成されるものなど、電気コネクタの製造および組立は、時間がかかり、煩雑なことが多い。すなわち、たとえば、標準的なマイクロD電気コネクタを組み立てるときに、多くのステップが必要となるためである。それらのステップは、リールから個々の接触子を取り外すステップと、それらの接触子の各々を圧着するステップと、圧着した接触子の各々をホルダの中に設置するステップと、圧着した接触子を有するホルダをシェルの中に挿入するステップと、シェルに薄いポッティング層を加えるステップと、接触子の終端部を配置および管理するステップと、シェルにより厚いポッティング層を加えるステップとを含む場合がある。終端部は、プリント回路板上へ設置するための、正しい終端位置を実現するように、配置および管理される。薄いポッティング層および厚いポッティング層が加えられて、接触子を所定の場所に固定し、終端管理後の短絡を防止する。薄いポッティング層を加えるステップ、より厚いポッティング層を加えるステップ、および接触子終端管理のステップは、特に、製造および組立プロセスを非効率で厄介にする。
【先行技術文献】
【特許文献】
【０００３】
【特許文献１】米国特許第９３６２６３８号明細書
【発明の概要】
【発明が解決しようとする課題】
【０００４】
したがって、効率的であり、時間がかかる煩雑なステップをなくす、プリント回路板上に設置される電気コネクタを組み立てる方法が必要である。
【課題を解決するための手段】
【０００５】
本発明は、電気コネクタを組み立てる方法を提供することができ、電気コネクタは、プリント回路板に取り付けられるように構成され、方法は、複数の接触子ウェハを設けるステップであって、各接触子ウェハがハウジングによって支持される複数の接触子を含み、複数の接触子の各々が、はめ合いコネクタを係合するためのはめ合い端およびプリント回路板に電気的に接続するための後端を含み、はめ合い端および後端がハウジングの外側に露出される、ステップと、各接触子ウェハの後端を曲げるステップと、1つまたは複数の接触子ウェハ組立体を形成するために接触子ウェハを交互配置するステップと、1つまたは複数の接触子ウェハ組立体が電気コネクタのはめ合いインターフェースで複数の接触子のはめ合い端の所定の配置を形成するように、1つまたは複数の接触子ウェハ組立体を電気コネクタのインサートへと装填するステップと、1つまたは複数の接触子ウェハ組立体で、インサートを電気コネクタのシェルに挿入するステップとを含む。
【０００６】
一実施形態では、方法は、接触子ウェハの後端に接触子支持部材を設置するステップをさらに含み、接触子支持部材は、複数の接触子の各々に対応する複数の導電性ばねを含むことができる。いくつかの実施形態では、方法は、インサート、シェル、および接触子支持部を一緒に結合するステップ、またはインサート、シェル、および接触子支持部を一緒に結合するステップの後に電気コネクタを通る電気伝導率について電気コネクタを試験するステップをさらに含む場合があり、結合するステップが、インサート、シェル、および接触子支持部材の各々を通して少なくとも1つの締結具を挿入するステップであって、締結具が、電気コネクタをプリント回路板に取り付けるためにプリント回路板を係合するように構成される、ステップを含むことができる、および/または、1つまたは複数の接触子ウェハ組立体が複数の接触子の後端を介してプリント回路板に電気的に接続されるように、締結具が、電気コネクタをプリント回路板に取り付けるためにプリント回路板を係合するように構成することができる。
【０００７】
ある実施形態では、方法は、複数の接触子の後端をプリント回路板に半田付けするステップをさらに含み、ポッティング材料または層が電気コネクタに加えられず、インサートの中に1つまたは複数の接触子ウェハ組立体を装填するステップも、シェルの中にインサートを挿入するステップも、複数の終端部を管理するステップを含まず、方法は、少なくとも2つの接触子ウェハ組立体を組み合わせて、複数の接触子のはめ合い端の所定の配置を形成するステップをさらに含み、2つの接触子ウェハ組立体のうちの一方の接触子ウェハが、互いに異なる、または同じ数の複数の接触子を有することができ、2つの接触子ウェハ組立体のうちの他方の接触子ウェハが、互いに異なる、または同じ数の複数の接触子を有することができる。
【０００８】
他の実施形態では、方法は、接触子ウェハ組立体の少なくとも1つを形成するために、互いに異なるまたは同じ数の複数の接触子を有することができる少なくとも2つの接触子ウェハを、複数の接触子ウェハから選択するステップをさらに含むことができ、接触子ウェハの各々が他の接触子ウェハと異なる数の接触子を有し、および/または方法は、複数の接触子のはめ合い端の所定の配置を形成するために、接触子ウェハ組立体のうちの少なくとも2つを組み合わせるステップをさらに含むことができる。
【０００９】
本発明は、電気コネクタを組み立てる方法をも提供することができ、電気コネクタは、プリント回路板に取り付けられるように構成され、方法は、複数の接触子ウェハを設けるステップであって、各接触子ウェハがハウジングによって支持される複数の接触子を含み、複数の接触子の各々が、はめ合いコネクタを係合するためのはめ合い端およびプリント回路板に電気的に接続するための後端を含み、はめ合い端および後端がハウジングの外側に露出され、少なくとも1つの接触子ウェハが4つの接触子で形成され、少なくとも1つの接触子ウェハが5つの接触子で形成され、少なくとも1つの接触子ウェハが6つの接触子で形成される、ステップと、1つまたは複数の接触子ウェハ組立体を形成するために接触子ウェハを交互配置するステップと、1つまたは複数の接触子ウェハ組立体が電気コネクタのはめ合いインターフェースで複数の接触子のはめ合い端の所定の配置を形成するように、1つまたは複数の接触子ウェハ組立体を電気コネクタのインサートへと装填するステップと、1つまたは複数の接触子ウェハ組立体で、インサートを電気コネクタのシェルに挿入するステップとを含む。
【００１０】
いくつかの実施形態では、交互配置するステップが、接触子ウェハ組立体のうちの少なくとも第1の接触子ウェハ組立体を形成するために、4つ、5つ、または6つの接触子を有する接触子ウェハのうちの1つを4つ、5つ、または6つの接触子を有する接触子ウェハのうちの別のものと交互配置するステップを含み、交互配置するステップが、接触子ウェハ組立体のうちの少なくとも第2の接触子ウェハ組立体を形成するために、4つ、5つ、または6つの接触子を有する接触子ウェハのうちの1つを4つ、5つ、または6つの接触子を有する接触子ウェハのうちの別のものと交互配置するステップを含み、方法は、複数の接触子のはめ合い端の所定の配置を形成するために、第1の接触子ウェハ組立体と第2の接触子ウェハ組立体を組み合わせるステップをさらに含むことができ、接触子組立体をインサートの中に装填するステップが組み合わせた第1の接触子ウェハ組立体と第2の接触子ウェハ組立体を装填するステップを含み、4つ、5つ、または6つの接触子を有する接触子ウェハの各々が、接触子間に少なくとも1つの脆化領域を含み、方法は、4つ、5つ、および6つの接触子を有する接触子ウェハの少なくとも1つを少なくとも1つの脆化領域で分け、それによってそこから複数の接触子ウェハを形成するステップをさらに含むことができ、および/または、方法は、接触子ウェハを交互配置するステップの前に、各接触子ウェハの後端を曲げるステップをさらに含むことができる。一実施形態では、電気コネクタのはめ合いインターフェースにおける複数の接触子のはめ合い端の所定の配置は、9ポジション、15ポジション、21ポジション、25ポジション、31ポジション、37ポジション、41ポジション、51ポジション、69ポジション、もしくは100ポジション、または所望により任意の他の様々な接触子の数のうちの1つである。
【００１１】
本発明のより完全な用途および本発明の付随する利点の多くは、添付図面とともに考慮するとき、以下の詳細な記載を参照して、より良好に理解されるようになるので、容易に得られることになる。
【図面の簡単な説明】
【００１２】
【図１】本発明の例示的な実施形態による電気コネクタを組み立てる方法の、電気コネクタの分解斜視図である。
【図２Ａ】図1に図示された電気コネクタの、電気コネクタが組み立てられた後の、1つの断面図である。
【図２Ｂ】図1に図示された電気コネクタの、電気コネクタが組み立てられた後の、1つの断面図である。
【図２Ｃ】図1に図示された電気コネクタの、電気コネクタが組み立てられた後の、1つの断面図である。
【図３】図1に図示された電気コネクタの、接触子ウェハの斜視図である。
【図４Ａ】図1に図示された電気コネクタの、例示的な接触子ウェハ組立体の斜視図である。
【図４Ｂ】図1に図示された電気コネクタの、例示的な接触子ウェハ組立体の斜視図である。
【図５】図1に図示された電気コネクタの、組み合わせた接触子ウェハ組立体の斜視図である。
【図６】本発明の例示的な実施形態による、例示的な接触子ウェハの端面図である。
【図７】本発明の例示的な実施形態による、たとえば9ポジションの、図6に図示された接触子ウェハの例示的な組合せの端面図である。
【図８】本発明の例示的な実施形態による、たとえば25ポジションの、図6に図示された接触子ウェハの例示的な組合せの端面図である。
【図９】本発明の例示的な実施形態による、たとえば51ポジションの、図6に図示された接触子ウェハの例示的な組合せの端面図である。
【発明を実施するための形態】
【００１３】
図を参照して、本発明は、一般的に、マイクロDまたはD字型タイプのコネクタなどの、プリント回路板10上に設置するために構成される電気コネクタ100を組み立てる方法に関する。本発明の方法は、コネクタの、より効率的で速い組立プロセスのため、時間がかかる煩雑な組立ステップをなくす。
【００１４】
電気コネクタ100は、一般的に、コネクタのシェル108に収容されるインサート106によって支持される1つまたは複数の接触子ウェハ組立体102および104を備える。支持部材110は、インサート106およびシェル108の中に接触子ウェハ102および104を保持するために使用することができる。図2A〜図2Cでわかるように、支持部材110、インサート106、およびシェル108は、1つまたは複数の締結具112などによって、一緒に結合することができる。本発明の方法は、電気コネクタ100のこれらの構成要素を組み立てるステップを含む。
【００１５】
各接触子ウェハ組立体102および104は、好ましくは、少なくとも2つの接触子ウェハ120を交互配置することによって形成される。図3で最もわかるように、各接触子ウェハ120は、ハウジング130の中で複数の接触子122を支持し、各接触子122は、ハウジング130の外側に延びて露出するはめ合い端124および反対側の後端126を有する。ハウジング130は、たとえば、その主題が参照により本明細書に組み込まれる、同一出願人が所有する特許文献１に開示されるものと同様の方法で、接触子122上にオーバーモールド成形することができる。図4Aおよび図4Bでわかるように、ハウジング130は、その少なくとも片側134に1つまたは複数の陥凹面132を有することができ、接触子ウェハ組立体102および104を形成するために接触子ウェハ120を交互配置すると、各陥凹面132が別のハウジングの対応する部分を収容するように設計される。接触子ウェハ120が噛み合った後で、接触子ウェハ120の接触子122は交互になり、実質的に軸方向に位置合わせする。すなわち、両方のウェハ120の接触子122のはめ合い端124を位置合わせすることができ、同様に、両方のウェハの接触子の後端126を位置合わせすることができる。
【００１６】
図1および図2A〜図2Cで最もわかるように、インサート106は、接触子ウェハ組立体102および104を収容するように設計される接触子収容部140、ならびに支持部材110と結合するように設計されるフランジ部142を有することができる。代替的に、インサート106のフランジ部142がプリント回路板10に直接取り付けられるように、支持部材110をなくすことができる。接触子収容部140は、接触子ウェハ組立体102および104のハウジング130を収納するハウジングセクション144、ならびに接触子122を収納する接触子セクション146を含むことができる。好ましい実施形態では、接触子セクション146は、個々の接触子122を収容する複数の開放端通路148を含む。フランジ部142は、1つまたは複数の締結具112を収容するための1つまたは複数の孔149を含むことができる。
【００１７】
シェル108は、インサート収容部150およびフランジ部152を有する。インサート収容部150は、インサート106の接触子収容部140を収容するようにサイズ決定される。インサート収容部150の開放端156は、接触子122のはめ合い端126を露出し、はめ合いコネクタ(図示せず)に接続するためのはめ合いインターフェースを規定する。フランジ部152は、インサート106のフランジ部142に当接することができ、締結具112を収容するため、インサート106の1つまたは複数の孔149と位置合わせする1つまたは複数の孔158をも有する。支持部材110は、締結具112を収容するため、インサート106の孔149およびシェル108の孔158のそれぞれに位置合わせする1つまたは複数の孔160をも含むことができ、締結具112がプリント回路板10と係合し、それによって、コネクタ100をプリント回路板10に取り付けることができる。一実施形態では、支持部材110は、接触子122とプリント回路板10の間の電気的接続を確立するために、接触子122の各々に対応しそれらの後端124を係合する、cクリップなどの導電性ばね162を含むことができる。代替的に、支持部材110をなくすことができ、接触子122の後端124を半田付けなどによってプリント板10と直接係合して、それらの間に電気的接続を確立することができる。
【００１８】
本発明の方法は、好ましくは、各接触子ウェハ120の各接触子122の後端124を曲げるステップを含む。たとえば、図3、図4A、および図4Bでわかるように、後端124を約90度曲げて、支持部材110の導電性ばね162での係合、またはプリント回路板との直接係合のいずれかを支援することができる。後端124は、好ましくは、接触子ウェハ組立体102および104を形成するために接触子ウェハ120が交互配置される前に曲げられる。
【００１９】
接触子ウェハ120の少なくとも2つが交互配置されて、接触子ウェハ組立体102(図4A)または接触子ウェハ組立体104(図4B)などの接触子ウェハ組立体を形成することができる。接触子ウェハ組立体102および104が形成された後で、それらをインサート106の接触子収容部140の中に容易に装填することができ、その結果、接触子122のはめ合い端126は、個々の通路148の中に収容される。接触子ウェハ組立体102および104を装填するとき、それらは、図5でわかるように、インサート106へと装填するために組み合わせることができ、その結果、接触子ウェハ組立体102および104は、複数の接触子122のはめ合い端126の所定の配置を形成する。そのため、コネクタ100の組立期間に、接触子またはワイヤの管理は必要ない。
【００２０】
接触子ウェハ組立体102および104をその中に装填したインサート106を、次いで、シェル108のインサート収容部150へと挿入することができ、その結果、接触子はめ合い端126は、シェル108の開放端156にある、電気コネクタのはめ合いインターフェースで所定の配置となる。接触子122は、インサート106によって所定の配置に完全に支持されるために、組立期間に、コネクタ100にポッティングまたはエポキシ材料もしくは層を加える必要がない。接触子122のはめ合い端126の所定の配置は、たとえば、9ポジション、15ポジション、21ポジション、25ポジション、31ポジション、37ポジション、41ポジション、51ポジション、69ポジション、もしくは100ポジション、または所望により任意の他の様々な接触子の数といった、所望のコネクタタイプに基づいて選択することができる。たとえば、図7は、接触子122の9ポジション配置を図示しており、一方の接触子ウェハ組立体102が5つの接触子を含み、他方の接触子ウェハ組立体104が4つの接触子を含む。装填されたインサート106、シェル108、および支持部材110が一緒に結合された後で、消費者に出荷される前に、コネクタ100を通る電気伝導率についてコネクタ100を試験することができる。
【００２１】
好ましい実施形態では、接触子ウェハ120は、互いに異なる数の接触子122を有することができる。たとえば、図6でわかるように、各接触子ウェハ120は、3つのタイプのうちの1つ、すなわち、4接触子タイプウェハ120a、5接触子タイプウェハ120b、および6接触子タイプウェハ120cのうちの1つであってよい。4接触子タイプウェハ120a、5接触子タイプウェハ120b、および6接触子タイプウェハ120cの各々は、ハウジング130の中で支持される、4つ、5つ、および6つの接触子122をそれぞれ有する。4接触子タイプウェハ120a、5接触子タイプウェハ120b、および6接触子タイプウェハ120cの各々のハウジング130は、1つまたは複数の脆化領域170を有し、ウェハを1つより多くのウェハへと分けることを可能にすることができる。分けることが可能な4接触子タイプウェハ120a、5接触子タイプウェハ120b、および6接触子タイプウェハ120cを使用することによって、コネクタポジション(たとえば、9ポジション、15ポジション、21ポジション、25ポジション、31ポジション、37ポジション、41ポジション、51ポジション、69ポジション、または100ポジション)のいずれでも配置することができる。たとえば、図7に図示される9ポジション接触子配置は、5つの接触子を有する接触子ウェハ組立体102と、4つの接触子を有する接触子ウェハ組立体104とを組み合わせることによって形成される。接触子ウェハ組立体102は、たとえば、5接触子タイプウェハ120bを、脆化領域170によって、一方のウェハが2つの接触子を有し他方のウェハが残りの3つの接触子を有する2つのウェハへと分けることによって形成される接触子ウェハ120の2つを交互配置ことにより作成することができる。同様に、他の接触子ウェハ組立体104は、たとえば、4ポジションタイプウェハ120aを各々が2つの接触子を有する2つのウェハへと分けることにより形成される接触子ウェハの2つを交互配置することにより作成することができる。これらの接触子ウェハ組立体102と接触子ウェハ組立体104が組み合わされてインサート106およびシェル108へと装填されると、その結果、開放端156で対応するはめ合いコネクタに接続できる状態にある9ポジション接触子配置となる。
【００２２】
同様に、図8に図示された25ポジション接触子配置は、接触子ウェハ組立体102について、2つの4接触子タイプウェハ120aを交互配置することに加えて2つの接触子と3つの接触子に分けられて交互配置される1つの5接触子タイプウェハ120b、および他の接触子ウェハ組立体104について、2つの6接触子タイプウェハ120cを交互配置することによって形成することができる。別の例は、同様の方法で形成される、図9に示される51ポジション接触子配置である。すなわち、接触子ウェハ組立体102は、2つの6接触子タイプウェハ120cを交互配置することに加えて1つの6接触子タイプウェハ120cを半分に分けて交互配置することによって形成される。他の接触子ウェハ組立体104は、4接触子タイプウェハ120aの4つを交互配置することによって形成することができる。さらに別の接触子ウェハ組立体105が、接触子ウェハ組立体102と104の間に設けられて、51ポジション接触子配置を完成させる。中間の接触子ウェハ組立体105は、1つの5接触子タイプウェハ120bと交互配置された1つの4接触子タイプウェハ120aに加えて互いに交互配置された2つの4接触子タイプウェハ120aによって形成することができる。
【００２３】
本発明を説明するために特定の実施形態が選択されてきたが、添付される請求項で規定されるような本発明の範囲から逸脱することなく、様々な変更形態および修正形態をそこに実施できることが当業者には理解されるであろう。
【符号の説明】
【００２４】
1  プリント回路板
100  電気コネクタ
102  接触子ウェハ組立体
104  接触子ウェハ組立体
106  インサート
108  シェル
110  支持部材
112  締結具
120  接触子ウェハ
120a  4接触子タイプウェハ
120b  5接触子タイプウェハ
120c  6接触子タイプウェハ
122  接触子
124  はめ合い端
126  後端
130  ハウジング
132  陥凹面
134  片側
140  接触子収容部
142  フランジ部
144  ハウジングセクション
146  接触子セクション
148  開放端通路
149  孔
150  インサート収容部
152  フランジ部
156  開放端
158  孔
160  孔
162  導電性ばね
170  脆化領域
【図１】
2020031056.tif 000003
【図２Ａ】
2020031056.tif 000004
【図２Ｂ】
2020031056.tif 000005
【図２Ｃ】
2020031056.tif 000006
【図３】
2020031056.tif 000007
【図４Ａ】
2020031056.tif 000008
【図４Ｂ】
2020031056.tif 000009
【図５】
2020031056.tif 000010
【図６】
2020031056.tif 000011
【図７】
2020031056.tif 000012
【図８】
2020031056.tif 000013
【図９】
2020031056.tif 000014
【外国語明細書】
2020031056000001.pdf